【手続補正書】
【提出日】平成16年10月15日(2004.10.15)
【手続補正１】
【補正対象書類名】明細書
【補正対象項目名】全文
【補正方法】変更
【補正の内容】
【書類名】          明細書
【発明の名称】階段の構成方法及び階段
【特許請求の範囲】
【請求項１】  直階段又は下曲がり階段の構成方法であって、下部に脚部を有する上部直線階段ユニット及び該上部直線階段ユニットの下部に連結可能な下部直線階段ユニットと下部曲がり階段ユニットを用意しておき、直階段を構成する場合には下部直線階段ユニットを選択して上部直線階段ユニットの下部に連結し、下曲がり階段を構成する場合には下部曲がり階段ユニットを選択して上部直線階段ユニットの下部に連結することを特徴とする階段の構成方法。
【請求項２】  上部直線階段ユニットと、下部直線階段ユニット又は下部曲がり階段ユニットからなる下部階段ユニットと、によって構成された階段であって、
前記上部直線階段ユニットは上端側に躯体に設けた支持部材と係合する係合部材を有すると共に下端側に支持面に載置される脚部を有して構成され、且つ前記下部階段ユニットは上部直線階段ユニットの脚部の側面に連結し得るように構成され、
前記上部直線階段ユニットの係合部材を躯体に設けた支持部材と係合させると共に脚部を支持面に載置し、該脚部の側面に下部直線階段ユニット又は下部曲がり階段ユニットを接続して構成されたことを特徴とする階段。
【発明の詳細な説明】
【０００１】
【発明の属する技術分野】
本発明は、プレハブ住宅等の工業的に生産される建築物に用いる直階段や下曲がり階段を構成する方法及び階段に関するものである。
【０００２】
【従来の技術】
建築物に用いる階段には、昇降形態に対応して種々のものがある。その中で、踏み板を下層階から上層階に直線的に配列して直線状に昇降し得るように構成した直階段と、下層階側の数段の踏み板を異形面とすることで略直角に昇降し得るように構成した下曲がり階段がある。
【０００３】
プレハブ建築物に適用される階段であって例えばＵ字形階段の如き廻り階段では、実開昭59-21336号公報に開示されるように（図４参照）、略同じ高さを持ち且つ当接面の幅が同じ３個の角ブロック51ａ〜51ｃを平面視Ｌ字形に配置して基台を構成し、１個の角ブロック51ａの上部に縦断面が三角形状の階段本体52ａを設置すると共に他の角ブロック51ｃの側面で且つ前記階段本体52ａと平行に他の階段本体52ｂを設置して構成したユニット階段が提案されている。この技術は、平面視が対称形なＵ字形階段に適用して有利である。しかし、この技術には直階段とＵ字階段の共通化をはかる思想はない。
【０００４】
上記技術と同様に、プレハブ建築物に適用される直階段及び下曲がり階段も共通化をはかるという思想はなく、夫々目的の建築物に対応して、周囲の環境や周辺に設置する他の部材との干渉等の諸問題を考慮して個別に設計されるのが一般的である。
【０００５】
【発明が解決しようとする課題】
上記の如く、直階段と下曲がり階段は全く別個に製造されるため、部材品種が増加し、部材製作のために多くの治具を必要とし、一時在庫のための保管場所を多く必要とする等の問題や、出荷指図が複雑になるという問題が生じ、コストを低減するのが容易ではない。
【０００６】
また各階段毎に製作手順が異なるため、施工者が習熟する必要があるという問題もある。
【０００７】
また各階段毎に構成部材の形状が異なり、且つ周辺に設置する他の部材との干渉状況が異なるため、これらの事項に対応するために設計者は多くの設計上の基準を習熟する必要があり、未習熟な者が設計した場合にミスが発生する虞があるという問題がある。
【０００８】
本発明の目的は、部材の共通化をはかることによって設計を容易とし、且つコストを低減することが出来る階段の構成方法及び階段を提供することにある。
【０００９】
【課題を解決するための手段】
上記課題を解決するために本発明に係る階段の構成方法は、直階段又は下曲がり階段の構成方法であって、下部に脚部を有する上部直線階段ユニット及び該上部直線階段ユニットの下部に連結可能な下部直線階段ユニットと下部曲がり階段ユニットを用意しておき、直階段を構成する場合には下部直線階段ユニットを選択して上部直線階段ユニットの下部に連結し、下曲がり階段を構成する場合には下部曲がり階段ユニットを選択して上部直線階段ユニットの下部に連結することを特徴とするものである。
【００１０】
上記階段の構成方法では、予め上部直線階段ユニットと、下部直線階段ユニットと下部曲がり階段ユニットを用意しておき、目的の階段に対応させて選択した下部直線階段ユニット或いは下部曲がり階段ユニットを上部直線階段ユニットの下部に連結することで、階段を構成することが出来る。
【００１１】
このため、目的の階段が、直階段か下曲がり階段かに関わらず、上部直線階段ユニットを共通化して利用するため、部材品種を低減して量産化をはかると共に施工や設計を容易に行うことが出来る。
【００１２】
また本発明に係る階段は、上部直線階段ユニットと、下部直線階段ユニット又は下部曲がり階段ユニットからなる下部階段ユニットと、によって構成された階段であって、前記上部直線階段ユニットは上端側に躯体に設けた支持部材と係合する係合部材を有すると共に下端側に支持面に載置される脚部を有して構成され、且つ前記下部階段ユニットは上部直線階段ユニットの脚部の側面に連結し得るように構成され、前記上部直線階段ユニットの係合部材を躯体に設けた支持部材と係合させると共に脚部を支持面に載置し、該脚部の側面に下部直線階段ユニット又は下部曲がり階段ユニットを接続して構成されたものである。
【００１３】
【発明の実施の形態】
以下、上記階段の構成方法の好ましい実施形態について図を用いて説明する。図１は本発明に係る階段の構成方法を説明する図、図２は上部ユニットと下部ユニットとの取り合い部の構成を説明する図、図３は直階段と下曲がり階段を説明する図である。
【００１４】
本実施例は、図３（ａ）に示す平面投影が長方形で且つ直線状に昇降する直階段Ａと、同図（ｂ）に示す平面投影が長方形で且つ下端側直角に曲がって昇降する下曲がり階段Ｂを構成するに際し、両階段Ａ，Ｂの部材を共通化することによって、設計，製造，据付施工を高い習熟度を要求することなく容易になし得るようにしたものである。
【００１５】
上記各階段Ａ，Ｂを構成する部材の共通化をはかるため、下曲がり階段Ｂに於ける下曲がり部分に着目し、該下曲がり部分と、この下曲がり部分に相当する直階段部分をユニット化すると共に上部を構成する部材を共通ユニットとし、これらを選択的に組み合わせることで、目的の階段を合理的に構成することが可能である。
【００１６】
即ち、図１に示すように、各階段Ａ，Ｂに共通する構成部材としての上部直線階段ユニット１と、上部直線階段ユニット１に取り付けて直階段Ａを構成する下部直線階段ユニット２と、上部直線階段ユニット１に取り付けて下部曲がり階段ユニット３と、を用意しておき、目的の階段に応じて選択された下部直線階段ユニット２或いは下部曲がり階段ユニット３を上部直線階段ユニット１に取り付けることで、直階段Ａ或いは下曲がり階段Ｂを構成することが可能である。
【００１７】
上記各ユニット１〜３に於ける段数の振り分けは一義的に設定されるものではなく、下部曲がり階段ユニット３に於ける段数を基準として設定される。
【００１８】
即ち、本実施例に示すように、２段の階段で下部曲がり部を構成しているような場合には、下部直線階段ユニット２及び下部曲がり階段ユニット３を夫々２段の階段として構成し、上部直線階段ユニット１は全体の段数から２段分の階段を差し引いた段数を持った階段として構成する。従って、下部曲がり階段ユニット３が３段の階段で構成される場合には、下部直線階段ユニット２も３段の階段として構成し、且つ上部直線階段ユニット１は、全段数から３段分の階段を差し引いた段数で構成することとなる。
【００１９】
上部直線階段ユニット１は、各下部ユニット２，３を取り付ける際に安定した姿勢を保持し得ることが好ましい。このため、上部直線階段ユニット１の下側の端部には脚１ａが設けられており、且つ上側の端部には、躯体に設けた梁等の支持部材（図示せず）に係合して支持する係合部材１ｂが設けられている。
【００２０】
従って、上部直線階段ユニット１を予め設定された階段位置に搬入し、係合部材１ｂを躯体の支持部材に係合させると下側の脚１ａが床或いは梁等の支持面に載置されて自立し、下部に配置される各ユニット２，３の有無に関わらず安定した姿勢を保持することが可能である。
【００２１】
各下部ユニット２，３は上部直線階段ユニット１の下端側に連結される。上部直線階段ユニット１に対して各下部ユニット２，３を連結する場合、部材品種の低減化を実現するには、脚１ａを利用することが好ましい。このため、図２に示すように、脚１ａには連結ボルト４を螺合するためのボルト穴１ｃが形成されている。また各下部ユニット２，３には、脚１ａに当接して連結ボルト４により締結されるブラケット（３ａ）が設けられている。
【００２２】
上記の如き各ユニット１〜３を用いて直階段Ａ或いは下曲がり階段Ｂを構成する場合、目的の階段が直階段Ａであるか或いは下曲がり階段Ｂであるかを確認すると共に寸法等の仕様を確認し、仕様に応じた上部直線階段ユニット１に対し、下部直線階段ユニット２或いは下部曲がり階段ユニット３を選択する。そして目的の直階段Ａ或いは下曲がり階段Ｂを構成するのに必要な部材を揃えて建築現場に出荷する。
【００２３】
建築現場では、目的の階段が直階段Ａであるか下曲がり階段Ｂであるかに関わらず、上部直線階段ユニット１は共通して利用されるため、脚１ａの位置は一定であり、該脚１ａを載置する床或いは梁の施工が一定となる。そして搬入された上部直線階段ユニット１を設置すると共に該ユニット１に予め選択されて搬入された下部ユニット２，３を連結することで、目的の階段を構成することが可能である。
【００２４】
【発明の効果】
以上詳細に説明したように本発明に係る階段の構成方法では、直階段或いは下曲がり階段を構成するに際し、上部直線階段ユニットの共通化をはかることが出来る。このため、製品を一時在庫する場合の保管場所や、製造の際に用いる治具を最小限に設定することが出来、且つ出荷指図を簡略化することが出来る。特に、部材の共通化を実現することにより、量産効果を期待することが可能となり、コストダウンをはかることが出来る。
【００２５】
上部直線階段ユニットの共通化を実現することによって、直階段或いは下曲がり階段に関わらず施工手順が略同じとなり、施工者の特別な習熟を必要としない。このため、非熟練工を採用することによる労務コストの低減を実現すると共に施工ミスの排除の実現、更に、同作業の繰り返しによる施工速度の向上を期待することが出来る。
【００２６】
同様に設計部門にあっても、設計基準の共通化をはかることが可能となり、設計ミスの排除及び設計時間の短縮化をはかることが出来る。
【図面の簡単な説明】
【図１】
本発明に係る階段の構成方法を説明する図である。
【図２】
上部ユニットと下部ユニットとの取り合い部の構成を説明する図である。
【図３】
直階段と下曲がり階段を説明する図である。
【図４】
Ｕ字形のユニット階段の構成を説明する図である。
【符号の説明】
Ａ              直階段
Ｂ              下曲がり階段
１              上部直線階段ユニット
１ａ            脚
１ｂ            係合部材
２              下部直線階段ユニット
３              下部曲がり階段ユニット
４              連結ボルト